(57)【要約】【課題】災害時飲料水の確保は、一部にペットボトル飲料水を準備し時期を見て時々買換えするケースがあるが、必ずしも的確な交換は出来ていない。保存の意識を持たずとも常時自動的に新しい飲料水が保存でき災害時に運び出せる災害時飲料水貯水装置を提供する。【解決手段】家庭の炊事場シンクの水道水蛇口２の直前に災害時飲料水貯水タンク保管器３と貯水タンク群４を接続したもので、水道水を使用する毎に貯水タンク群４内の水が自動的に新しい水に替わると共に、災害時には災害時飲料水貯水タンク保管器３から貯水タンク群４を切り離し、取り付けられている両ナットユニオン接続器５を切り離す事で、貯水タンクユニット４１を移動し使用する事が出来る。貯水タンクユニット４１は社会的な基準である一人３日分で９リットルの水量を確保出来、家族の人数分を揃える事で、手間を掛けず確実に常時家族分の災害時飲料水の確保が可能となる。【選択図】図１
2013189838.tif 000002
【特許請求の範囲】
【請求項１】
住宅の炊事場シンクの水道水蛇口の直前に、災害時飲料水貯水タンク保管器と貯水タンク群を接続してなる災害時飲料水貯水装置。
【請求項２】
平常時は水道水が災害時飲料水貯水タンク保管器と貯水タンク群を通過し水道水蛇口から吐水され、災害時は災害時飲料水貯水タンク保管器で止水され貯水タンク群だけが分離できる機能を持つ請求項１記載の災害時飲料水貯水装置。
【請求項３】
貯水タンク群は１台ずつで構成されるユニットを複数台接続可能となる機能を持ち、その接続・切離が容易に行える機能を持つ請求項１記載の災害時飲料水貯水装置。
【発明の詳細な説明】
【技術分野】
【０００１】  この発明は災害時に備えた飲料水を貯水する為の災害時飲料水貯水装置に関する。
【背景技術】
【０００２】  地震や風水害の発生時に飲料水の保存が不足し避難生活に支障をきたしている。
【発明が解決しようとする課題】
【０００３】  災害用の飲料水を改めて貯水する為には、平常時より意識を持って貯水する事を心掛ける必要がある。現状では一部の家庭でペットボトルによる貯水が行われているが全体としてはまだまだ意識も低くその為の装置の提供もなされていない。課題は家庭で出来る今までにない容易な飲料水の貯水の装置を提供する必要である。
【課題を解決する為の手段】
【０００４】  この発明は家庭内の炊事場シンクの水道水蛇口２の直前に、災害時飲料水貯水タンク保管器３と貯水タンク群４を設置する事で、日常生活の中で特に意識することなく自動的に新しい飲料水の貯水が達成され続けることができる。
【０００５】  この発明は災害時に、設置された災害時飲料水貯水タンク保管器３の給水側止水栓３１と吐水側止水栓３７を止水し、貯水タンク群４に接続された両ナットユニオン接続器５を切離すことで貯水タンク群４を容易に移動する事が出来る。
【実施例】
【０００６】  この発明の実施例を図１、図２及び図３に示す図画で詳述する。【０００７】  この発明の機能は敷地内に引きこまれた水道の水道元栓バルプ１から給水された水道水を、家庭内の炊事場シンクの水道水蛇口２から吐水する経路の途中に、災害時飲料水貯水タンク保管器３と貯水タンク群４を接続することにより構成される。【０００８】  災害時飲料水貯水タンク保管器３は金属・合成樹脂、化学材料などで成形され、給水側止水栓３１、給水側フレキシブルパイプ３２、保管器本体３３、保管器支持台３４、工具箱３５、吐水側フレキシブルパイプ３６、吐水側止水栓３７で構成される。【０００９】  貯水タンク群４は合成樹脂・金属・化学材料などで成形され、複数の貯水タンクユニット４１で構成される。貯水タンクユニット４１は給水口４１１、水流調整板４１２、吐水口４１３、取手４１４で構成され水量は９リットルを確保出来る。【００１０】  保管器本体３３は受軸３３１で保管器支持台３４に乗せられており、保管器本体３３の下側空き空間には保管器本体３３が回転しないように工具箱３５が置かれる。【００１１】  保管器本体３３は貯水タンクユニット４１を複数台置けるように複数の貯水タンク置場３３２を設けてある。貯水タンクユニット４１は家族の人数に合わせ複数台を貯水タンク置場３３２に置く。【００１２】  貯水タンクユニット４１は貯水タンク置場３３２に置いたとき、給水口４１１が左上にあり吐水口４１３が右下にあるタイプＡと、給水口４１１が右上にあり吐水口４１３が左下にあるタイプＢとの２種類がある。タイプＡ、タイプＢとも内部に水流調整板４１２を設け水流をつくり水道水の交換がスムーズにできる機能をもつ。【００１３】  貯水タンクユニット４１を貯水タンク置場３３２に置く場合、最上段よりＡタイプ次段にＢタイプの順でＡ，Ｂタイプを交互に設置する。【００１４】  災害時飲料水貯水タンク保管器３と貯水タンクユニット４１は両ナットユニオン接続器５で接続され、貯水タンクユニット４１が複数台ある場合も各々の貯水タンクユニット４１の接続は両ナットユニオン接続器５で接続される。【００１５】  工具箱３５には両ナットユニオン接続器５のナットを外す為のナット回し３５１と、両ナットユニオン接続器５が外された後に給水口４１１と吐水口４１３に被せるキャップとなるゴム止水栓３５２が備えられている。【００１６】  両ナットユニオン接続器５は接続時に接続状態５１の状態にあり、切断時に非接続状態５２の状態にある。接続・切断は工具箱３５の中にあるナット回し３５１で行う。【００１７】  平常時は水道元栓バルプ１から給水された水道水は開放された給水側止水栓３１から給水側フレキシブルパイプ３２を経由し、両ナットユニオン接続器５から最上段の貯水タンクユニット４１の給水口４１１から水流調整板４１２の間を通り吐水口４１３から次の両ナットユニオン接続器５を経由し、２段目の貯水タンクユニット４１以降に落とされる。【００１８】  最下段の貯水タンクユニット４１の吐水口４１３から両ナットユニオン接続器５を経由し、吐水側フレキシブルパイプ３６から開放された吐水側止水栓３７を経由し炊事場シンクの水道水蛇口２から吐水される。結果として常時全ての貯水タン���ユニット４１内には新しい水道水が貯水されている。【００１９】  災害時には給水側止水栓３１と吐水側止水栓３７を止水し流水を切断する。工具箱３５を保管器本体３３の下側の空き空間から引きだす。保管器本体３３は軸受３３１で保管器支持台３４に乗った状態で前後に回転可能となるので、保管器本体３３を９０度後方に倒すように回転させる事で保管器本体３３の両ナットユニオン接続器５が全て上面になるように設置位置決めする。【００２０】  全ての両ナットユニオン接続器５をナット回し３５１を使い、接続状態５１を非接続状態５２にして、両ナットユニオン接続器５を全て外し工具箱３５に保管する。全ての給水口４１１と吐水口４１３をゴム止水栓３５２で止水する。全ての貯水タンクユニット４１が単体になるので取手４１４により貯水タンク置場３３２から引きだす。引きだした貯水タンクユニット４１はどこへでも持ち運びが可能となる。【００２１】  災害時飲料貯水タンク保管器３は一定の水温を維持できるよう冷却・保温の為の温度調整機能や、貯水タンクユニット４１の外部に発生する水滴の受皿機能を備えた物も含まれる。
【発明の効果】
【００２２】  この発明は近年災害時対策として考慮され始めた「蓄電の意識向上」を、さらに「畜水の意識向上」に発展させる意識改革を促すものである。
【００２３】  この発明は日常生活の中で意識せずとも常時災害用飲料水が自動的に貯水されることで、特に災害発生直後の飲料水不足を大きく改善する有効な手立てとなる。
【００２４】  この発明は現行の技術を持ってローコストで構築でき、どこの家庭にも新たな機能として即時取り入れることができる。各家庭で貯水された災害時飮料水は避難所生活の大きな改善に繋がるものである。
【図面の簡単な説明】
【００２５】
【図１】災害時飲料水貯水装置の構成図
【図２】飲料水タンクユニットの構成図
【図３】両ナットユニオン接続器の機能図
【符号の説明】１      水道元栓バルプ
２      炊事場シンクの水道水蛇口
３      災害時飲料水貯水タンク保管器
３１    給水側止水栓
３２    給水側フレキシブルパイプ
３３    保管器本体
３３１  軸受
３３２  貯水タンク置場
３４    保管器支持台
３５    工具箱
３５１  ナット回し
３５２  ゴム止水栓
３６    吐水側フレキシブルパイプ
３７    吐水側止水栓
４      貯水タンク群
４１    貯水タンクユニット
４１１  給水口
４１２  水流調整板
４１３  吐水口
４１４  取手
５      両ナットユニオン接続器
５１    接続状態
５２    非接続状態
【図１】
2013189838.tif 000003
【図２】
2013189838.tif 000004
【図３】
2013189838.tif 000005